(57)【要約】【課題】嵌合途上でハーネス側端子が機器側の端子台等に干渉することを防ぐ。【解決手段】機器側コネクタ１０と嵌合可能に設けられ、機器側端子２０に対して嵌合方向と交差する方向における所定範囲内で遊動自在に保持されるハーネス側端子６０を有し、機器側コネクタ１０と正規嵌合した後にハーネス側端子６０が機器側端子２０にボルト止めされるハーネス側コネクタ１０であって、キャビティ５３が内部に設けられたハーネス側ハウジング５１と、ハーネス側ハウジング５１に固定され、キャビティ５３内の正規位置に収容されたハーネス側端子６０を抜止状態に保持する保持部品８０と、保持部品８０においてハーネス側端子６０と対向する面に設けられ、ハーネス側端子６０が嵌合途上でハーネス側端子６０もしくは機器側端子２０を支持する端子台１４の周辺部と干渉することを回避する方向にハーネス側端子６０を付勢する第１のばね部材８５とを備えている。【選択図】図３
2008300330.tif 000002
【特許請求の範囲】
【請求項１】
相手側コネクタと嵌合可能に設けられ、前記相手側コネクタに設けられた相手側端子に対して嵌合方向と交差する方向における所定範囲内で遊動自在に保持される端子を有し、前記相手側コネクタと正規嵌合した後に前記端子が前記相手側端子にボルト止めされるコネクタであって、
前記端子を収容するキャビティが内部に設けられたコネクタハウジングと、
前記コネクタハウジングに固定され、前記キャビティ内の正規位置に収容された前記端子を抜止状態に保持する保持部品と、
前記保持部品において前記端子と対向する面に設けられ、前記端子が嵌合途上で前記相手側端子もしくは前記相手側端子を支持する端子台の周辺部と干渉することを回避する方向に前記端子を付勢する第１のばね部材とを備えたコネクタ。
【請求項２】
前記保持部品は、同保持部品を前記端子の遊動方向に沿って移動可能に支持する第２のばね部材と、正規嵌合時に前記相手側コネクタに設けられた解除部が嵌合することで前記第２のばね部材を圧縮させると共に前記第１のばね部材の前記端子に対する付勢を解除する解除受け部とを備えている請求項１に記載のコネクタ。
【請求項３】
前記保持部品は前記端子を挟む両側に一対の半割体を有し、前記両半割体の合わせ面が前記端子の進入経路上に位置する請求項１又は請求項２に記載のコネクタ。
【請求項４】
前記コネクタハウジングの外周に金属製のシールドシェルを取り付けたことを特徴とする請求項１ないし請求項３のいずれか一項に記載のコネクタ。
【発明の詳細な説明】
【技術分野】
【０００１】
本発明は、コネクタに関する。
【背景技術】
【０００２】
一般に、相手側端子とボルト止めによって接続される端子を有するコネクタとして、例えば下記特許文献１に記載のコネクタが知られている。相手側端子は、機器側に直結された機器側コネクタに設けられており、機器側コネクタへの正規の取付位置に対してずれた位置に取り付けられる場合がある。このような場合、相手側コネクタとの嵌合方向に対して交差する方向に所定範囲内で端子の位置を遊動自在に保持する保持構造を設けることで、相手側端子の位置に応じて端子の位置を調整することが可能である。
【特許文献１】特開２００５−１２９３５６公報
【発明の開示】
【発明が解決しようとする課題】
【０００３】
しかしながら、上記した端子の保持構造では、端子の先端側がその自重によって下方に落ち込んだ傾き姿勢となり、嵌合途上で相手側端子あるいは相手側端子を支持する端子台に干渉する等のおそれがある。
本発明は上記のような事情に基づいて完成されたものであって、端子を遊動自在に保持する保持構造を備えつつ、嵌合途上で端子が相手側端子や端子台に干渉することを防ぐことを目的とする。
【課題を解決するための手段】
【０００４】
本発明は、相手側コネクタと嵌合可能に設けられ、相手側コネクタに設けられた相手側端子に対して嵌合方向と交差する方向における所定範囲内で遊動自在に保持される端子を有し、相手側コネクタと正規嵌合した後に端子が相手側端子にボルト止めされるコネクタであって、端子を収容するキャビティが内部に設けられたコネクタハウジングと、コネクタハウジングに固定され、キャビティ内の正規位置に収容された端子を抜止状態に保持する保持部品と、保持部品において端子と対向する面に設けられ、端子が嵌合途上で相手側端子もしくは相手側端子を支持する端子台の周辺部と干渉することを回避する方向に端子を付勢する第１のばね部材とを備えた構成としたところに特徴を有する。
【０００５】
このような構成によると、端子が第１のばね部材によって付勢された状態で相手側コネクタとの嵌合が行われ、相手側コネクタと正規嵌合した後に端子を相手側端子にボルト止めすることによって、両端子が接続固定される。このとき、相手側端子の位置に応じて端子の位置を調整することができることに加えて、端子が相手側端子もしくは端子台の周辺部と干渉することを防ぐことができる。
【０００６】
本発明の実施の態様として、以下の構成が好ましい。
保持部品は、同保持部品を端子の遊動方向に沿って移動可能に支持する第２のばね部材と、正規嵌合時に相手側コネクタに設けられた解除部が嵌合することで第２のばね部材を圧縮させると共に第１のばね部材の端子に対する付勢を解除する解除受け部とを備えている構成としてもよい。
【０００７】
仮に相手側コネクタと正規嵌合したときに、端子が第１のばね部材によって付勢されたままの場合には、相手側端子とボルト止めする際に、端子に不要な応力を生じさせることになる。その点上記した構成によると、正規嵌合時に解除部が解除受け部に嵌合することで第２のばね部材を圧縮させると共に第１のばね部材の端子に対する付勢を解除することができる。よって、端子を第１のばね部材に接触させないフリー状態に保持することができる。このため、端子は相手側端子にボルト止めされた状態で第１のばね部材からばね力を受けないから、接続状態が良好に維持される。
【０００８】
保持部品は端子を挟む両側に一対の半割体を有し、両半割体の合わせ面が端子の進入経路上に位置する構成としてもよい。このような構成によると、端子をキャビティ内に挿入していくと、端子が両半割体の合わせ面の端縁部に接触して両半割体の間に割って入り込むことができる。
【０００９】
コネクタハウジングの外周に金属製のシールドシェルを取り付けた構成としてもよい。このような構成によると、本発明のコネクタをシールドコネクタに適用することが可能である。
【発明の効果】
【００１０】
本発明によれば、相手側コネクタとの嵌合途上で端子が相手側端子や端子台の周辺部と干渉することを防ぐことができる。
【発明を実施するための最良の形態】
【００１１】
＜実施形態１＞
本発明の実施形態１を図面を参照しながら説明する。
＜全体構成＞
本実施形態のシールドコネクタは電気自動車用のコネクタであって、インバータ等の機器（図示せず）に直結される機器側コネクタ１０と、ワイヤハーネスＷを介して三相モータ等の機器（図示せず）に連なるハーネス側コネクタ５０とから構成されている。これらのコネクタ１０，５０は互いに嵌合可能に設けられ、機器側の電極に接続される機器側端子２０及びワイヤハーネスＷの端末に接続されたハーネス側端子６０を備えている。両端子２０，６０は、両コネクタ１０，５０が正規嵌合した後に、ボルト止めされることによって接続固定されるようになっている。尚、機器側コネクタ１０は、図示はしないものの、金属製のシールドケース（図示せず）によって全体が覆われた状態で機器側に取り付けられる。
【００１２】
＜機器側コネクタ１０の構成＞
機器側コネクタ１０は本発明の「相手側コネクタ」に相当し、合成樹脂製の機器側ハウジング１１と、この機器側ハウジング１１内にインサート成形された３つの機器側端子２０とを備えている。機器側端子２０は本発明の「相手側端子」に相当し、本実施形態ではバスバーによって構成されている。機器側端子２０の両端部には固定ボルトＢを挿通してボルト止めを行うためのボルト挿通孔２１が貫通形成されている。機器側ハウジング１１には、ボルト挿通孔２１と連通する空間が設けられ、この空間に固定ナットＮが配置されることで、固定ナットＮはボルト挿通孔２１を通じて挿通された固定ボルトＢと螺合可能である。
【００１３】
機器側ハウジング１１には、ハーネス側コネクタ５０の後述するハーネス側ハウジング５１を内部に嵌合可能なフード部１２が前方に開口して形成されている。フード部１２には、機器側端子２０が前方に突出する形態で設けられ、この機器側端子２０の一方側（図１及び図５における下側）には、機器側端子２０を支持する端子台１４がそれぞれ設けられている。端子台１４には、前記した固定ナットＮが配置され、さらに固定ナットＮの奥方（固定ナットＮを中心として機器側端子２０とは反対の方向）には、固定ナットＮに螺合した固定ボルトＢの先端側が進入する逃がし空間が形成されている。
【００１４】
端子台１４は、図５に示すように、各機器側端子２０毎に分離して図示３ヶ所設けられている。このうち左右両端の端子台１４には、端子台１４の前面壁より前方に突出する解除突部１５がそれぞれ設けられている。解除突部１５は本発明の「解除部」に相当し、解除突部１５の先端下面側には、図１に示すように、前方に向けて上り勾配をなすテーパ面が形成されている。このため、解除突部１５のテーパ面は、両コネクタ１０，５０の嵌合途上で後述する保持部品８０に摺接してこれを下方に押し下げるように作用する。この点については、後に詳述する。
【００１５】
一方、フード部１２内において機器側端子２０の上方（機器側端子２０を基準として端子台１４と反対側）には、両コネクタ１０，５０が正規嵌合したときにハーネス側端子６０の進入を許容する進入空間が形成されている。この進入空間は、フード部１２の外周面に貫通して設けた開口部１３を通じて外部空間と連通し、この開口部１３を通じて固定ボルトＢが進入可能である。開口部１３には、固定ボルトＢによるボルト止めが完了した後に、同開口部１３を塞ぐためのキャップ３０が外側から装着可能である。開口部１３に進入するキャップ３０の外周面には周方向に沿って凹部が設けられ、この凹部にはシールリング３１が嵌着されている。このシールリング３１は、キャップ３０が開口部１３に装着された状態において開口部１３を構成する筒部の内周面に密着している。したがって、開口部１３からフード部１２の内部に水が浸入することが規制される。
【００１６】
＜ハーネス側コネクタ５０の構成＞
ハーネス側コネクタ５０は本発明における「コネクタ」であって、合成樹脂製のハーネス側ハウジング５１と、このハーネス側ハウジング５１に挿入される３つのハーネス側端子６０とを備えている。ハーネス側ハウジング５１は本発明の「コネクタハウジング」に相当し、その内部には前後方向に貫通する３つのキャビティ５３が左右方向（図１において紙面と直交する方向）に一定ピッチで並列して形成されている。
【００１７】
ハーネス側ハウジング５１の前端部は、機器側ハウジング１１のフード部１２内に嵌合可能である。尚、ハーネス側ハウジング５１の前端外周面には周方向に沿って凹部が設けられ、この凹部にはシールリング４２が嵌着されている。このシールリング４２は、両コネクタ１０，５０の嵌合に伴ってフード部１２の内周面に密着することで、両コネクタ１０，５０間の防水機能を果たしている。
【００１８】
また、ハーネス側ハウジング５１の後部には、３つのハーネス側端子６０にそれぞれかしめ付けにより固定された３本のワイヤハーネスＷを一括してシールする一括ゴム栓４０が装着可能となっている。すなわち、ハーネス側ハウジング５１においてキャビティ５３より後方には、後方に開口したフード状をなすゴム栓収容部５２が設けられ、このゴム栓収容部５２の内部に一括ゴム栓４０が圧縮状態で装着されている。さらに、ゴム栓収容部５２には、一括ゴム栓４０の抜止を行うゴム栓ホルダ４１が一括ゴム栓４０の後方に装着されている。これにより、ハーネス側コネクタ５０は、ゴム栓収容部５２を通じて内部に水が浸入することを規制可能である。
【００１９】
ゴム栓ホルダ４１はポリプロピレン製であって、図示はしないものの、上下に対称をなす一対の半割体をヒンジにより連結した構成である。各半割体には、ワイヤハーネスＷの外周形状に対応した半円部がそれぞれ形成されており、上下の半円部によってワイヤハーネスＷが周方向に沿って挟まれるようになっている。ゴム栓ホルダ４１の上下各面において半円部と対応する位置には、それぞれ一対の抜止突起が設けられている。これにより、ゴム栓ホルダ４１は、抜止突起をゴム栓収容部５２の抜止孔に係止させることにより、ハーネス側ハウジング５１に対して離脱規制状態に組み付けられている。
【００２０】
ワイヤハーネスＷは、金属細線をメッシュ状に編み込んだ筒状をなすシールド部材（図示せず）によって包囲され、このシールド部材によって３本のワイヤハーネスＷが一括してシールドされている。シールド部材の端末部には、金属製のリング状をなすシールドシェル７０が固着されている。シールドシェル７０は、内リング７１と外リング７２との二重筒構造であり、内リング７１と外リング７２との間にシールド部材の端末部が挟み付けられかしめ付けにより固定される。このシールドシェル７０は、両コネクタ１０，５０が正規嵌合したときには内リング１７の前端部が機器側のシールドケース（図示せず）と導通可能に接触するように設定されている。
【００２１】
ハーネス側端子６０は本発明の「端子」に相当し、各キャビティ５３内に後方から挿入される。このハーネス側端子６０は、機器側端子２０と接続される接続部６１と、ワイヤハーネスＷの端末に圧着接続されるバレル部６２とを備えている。接続部６１には、固定ボルトＢを挿通させるボルト挿通孔６３と、そのボルト挿通孔６３よりバレル部６２側に配された係止孔６４とが貫通形成されている。ハーネス側端子６０は、係止孔６４の周壁に後述する係止突部８３を係止させることで、キャビティ５３内の正規位置において抜止状態に保持される。
【００２２】
ハーネス側ハウジング５１の嵌合面（前端面）には、装着凹部５４が前方に開口して形成されている。装着凹部５４は、図６に示すように、横長偏平形状をなす保持部品８０を収容するための空間である。装着凹部５４の奥面には、キャビティ５３の前端開口が形成されている。すなわち、装着凹部５４は、全てのキャビティ５３の内部空間と連通している。また、装着凹部５４の内壁及び保持部品８０には、互いに係合可能な固定手段（図示せず）がそれぞれ設けられている。これにより、保持部品８０は、装着凹部５４内に装着されると、前記した各固定手段が係合することで装着凹部５４に対して上下の移動を許容しつつ前方へ抜止状態に保持される。
【００２３】
保持部品８０は合成樹脂製で、図７に示すように、上下一対の半割体８１，８２（以下「上側半割体８１」及び「下側半割体８２」という。）によって構成されている。保持部品８０には、前後方向に貫通する図示３つの端子挿通孔８４が横並びに形成されている。端子挿通孔８４は、ハーネス側端子６０を内部に収容可能に設けられ、ハーネス側端子６０が端子挿通孔８４内に収容された状態では、上側半割体８１と下側半割体８２とがそれぞれハーネス側端子６０を上下に挟む両側に位置することになる。
【００２４】
各端子挿通孔８４の内部における中央には、上側半割体８１と下側半割体８２とを連結する連結部８３が設けられている。この連結部８３は、ハーネス側端子６０の係止孔６４内に嵌り込んでその周壁に係止することでハーネス側端子６０の抜止を行う係止突部８３として機能している。また、ハーネス側端子６０を上下に挟む上側半割体８１と下側半割体８２との間隔は、ハーネス側端子６０の板厚のほぼ２倍となるように設定されている。したがって、保持部品８０は、ハーネス側端子６０に対してその板厚１枚分にほぼ相当する距離だけ上下に相対的に移動可能である。
【００２５】
係止突部８３は、上側半割体８１から下側半割体８２に向けて突出する突部と下側半割体８２から上側半割体８１に向けて突出する突部とが面当たりするように構成されている。この係止突部８３を構成する上下各突部の突当面（本発明の「合わせ面」の一部を構成する。）は、キャビティ５３内に挿入されるハーネス側端子６０の進入経路上に位置している。このため、保持部品８０を装着凹部５４内に装着した上で、ハーネス側端子６０をキャビティ５３内に挿入していくと、ハーネス側端子６０の先端が前記した突当面の後部に接触し、これらの間に割って入り込む。そして、ハーネス側端子６０が正規位置に至ると、係止突部８３を構成する上下各突部がハーネス側端子６０の上下両側から係止孔６４内に嵌り込んで突き当たることで係止突部８３が一体となって構成される。よって、ハーネス側端子６０は、係止孔６４の周壁前端が係止突部８３に係止することで後方に抜止状態に保持される。
【００２６】
ところで、ハーネス側端子６０がキャビティ５３内に収容された状態では、ハーネス側端子６０とこれを収容するキャビティ５３の内壁との間に所定のクリアランスが設定されている。このため、正規位置にあるハーネス側端子６０は、係止突部８３によって後方に抜止された状態で、かつ、上下方向（両コネクタ１０，５０の嵌合方向と交差する方向）における所定範囲内で遊動自在に保持される。このようにハーネス側端子６０をキャビティ５３内で遊動自在に保持する構成としている理由は、機器側端子２０が正規の位置に対して上下方向にずれた位置にインサート成形される場合があり、このような成形時における誤差を吸収した上でハーネス側端子６０と機器側端子２０とを接続可能にするためである。
【００２７】
しかしながら、ハーネス側端子６０は、キャビティ５３内の正規位置に収容された状態では、ボルト挿通孔６３が設けられている先端部分がキャビティ５３の前端開口より前方に突出した状態となっているため、自重によって先端部分が下方に落ち込んだ姿勢（端子のお辞儀状態）になり易い。このため、従来のハーネス側コネクタ１００では、図１１に示すように、機器側コネクタ１０との嵌合途上でハーネス側端子６０が機器側端子２０の端縁部等と接触する事態（端子へのどつき）が発生する可能性がある。尚、図１１では、保持部品８０の代わりにランス１０１でハーネス側端子６０の抜止をしているものの、ハーネス側端子６０を上下に遊動自在に保持する構成については本実施形態と同じである。そこで、本実施形態では、その対策構造として保持部品８０に「第１のばね部材」及び「第２のばね部材」を設けている。以下、それらの構造について説明する。
【００２８】
各端子挿通孔８４の内部には、図示３つの係止突部８３の両側にそれぞれ配置されることで全部で６つの第１のばね部材８５が設けられている。第１のばね部材８５は端子挿通孔８４の内周下面（保持部品８０の下側半割体８２においてハーネス側端子６０と対向する面）に基端部を有し、その基端部から後方に向けて片持ち状に突出する形態をなしている。このため、第１のばね部材８５は、基端部を支点として全体が上下に撓み可能である。第１のばね部材８５は、保持部品８０が装着凹部５４内に装着された状態では、ハーネス側端子６０の下面に接触し、次述する第２のばね部材８６と共にハーネス側端子６０を上方に付勢するように作用する。
【００２９】
一方、下側半割体８２の下面には、一対の第２のばね部材８６が幅方向に所定間隔を空けて設けられている。第２のばね部材８６は、第１のばね部材８５とは上下対称をなす形態であって第１のばね部材８５よりも大きめに形成され、その基端部を支点として全体が上下に撓み可能である。このため、保持部品８０が装着凹部５４内に装着された状態では、第２のばね部材８６が装着凹部５４の内周下面に弾性的に接触し、保持部品８０の下面と装着凹部５４の内周下面との間に所定のクリアランスが形成される。すなわち、両コネクタ１０，５０の嵌合前においては、ハーネス側端子６０は第１のばね部材８５及び第２のばね部材８６の双方によって支持される。したがって、ハーネス側端子６０は、先端部分が下方に落ち込んだ傾いた姿勢となることを防ぐことができると共に、水平姿勢をとったまま嵌合動作を行うことができる（図１、図３参照）。
【００３０】
保持部品８０の下側半割体８２には、嵌合途上で機器側コネクタ１０に向けて開口する一対の解除凹部８７が前方に突出した状態で設けられている。解除凹部８７は本発明の「解除受け部」に相当し、両コネクタ１０，５０が正規嵌合したときに機器側コネクタ１０の解除突部１５が内部に嵌合可能である。解除凹部８７の開口縁部下端は、嵌合時に解除突部１５のテーパ面と当接可能な高さに設定されている。このため、両コネクタ１０，５０を嵌合させると、解除突部１５のテーパ面が解除凹部８７の開口縁部下端に摺接しつつ、保持部品８０を装着凹部５４内で押し下げるように作用する。そして、両コネクタ１０，５０が正規嵌合したときには第２のばね部材８６を嵌合前よりも圧縮させた状態で解除突部１５が解除凹部８７内に嵌合し、第１のばね部材８５のハーネス側端子６０に対する付勢を解除して第１のばね部材８５とハーネス側端子６０とが非接触状態となるように保持可能である（図２、図４参照）。
【００３１】
本実施形態は以上のような構造であって、続いてその作用を説明する。
まず、ハーネス側端子６０のハーネス側ハウジング５１への組み付けを行う。ハーネス側端子６０に接続されたワイヤハーネスＷに一括ゴム栓４０を装着しておき、ハーネス側ハウジング５１の後方からゴム栓収容部５２を通ってキャビティ５３内に挿入していく。この間、ハーネス側端子６０は、係止突部８３を構成する上下各突部の間に割って入り込み、正規位置に至ると各突部が上下両側から係止孔６４内に嵌り込んで一体となる。こうして、係止突部８３が係止孔６４の周壁に係止してハーネス側端子６０の抜止が行われる。尚、一括ゴム栓４０はゴム栓収容部５２内に進入し、ワイヤハーネスＷの外周面とゴム栓収容部５２の内周面との双方に密着した状態となる。この後、ゴム栓収容部５２にゴム栓ホルダ４１を挿入して同ゴム栓収容部５２内に固定することで一括ゴム栓４０が抜け止めされる。
【００３２】
次に、両コネクタ１０，５０の嵌合を行う。両コネクタ１０，５０の嵌合時においてハーネス側端子６０は、図１に示すように、第１のばね部材８５及び第２のばね部材８６によって水平姿勢に保たれているため、ハーネス側端子６０の先端が機器側端子２０の端縁部や端子台１４（固定ナットＮやハーネス側ハウジング１１の樹脂部分も含む。）等に干渉することで折れ曲がる等の不具合を回避することができる。そして、ハーネス側端子６０が機器側端子２０の上方に進入し両端子２０，６０の干渉が回避されると、機器側コネクタ１０の解除突部１５がハーネス側コネクタ５０の解除凹部８７の開口縁部に摺接し保持部品８０を下方に押し下げる。
【００３３】
こうして、ハーネス側端子６０を水平姿勢に保ったまま両コネクタ１０，５０が正規嵌合に至ると、ハーネス側端子６０のボルト挿通孔６３と機器側端子２０のボルト挿通孔２１とがほぼ同軸上に位置することで、固定ボルトＢによる締め付けが可能になる。また、機器側コネクタ１０の解除突部１５がハーネス側コネクタ５０の解除凹部８７内に嵌合することで、第２のばね部材８６を圧縮状態に保持すると共に第１のばね部材８５がハーネス側端子６０に対して非接触状態に保持され、ハーネス側端子６０に対する付勢が解除される。このため、ハーネス側端子６０は機器側端子２０にボルト止めされた状態で第１のばね部材８５からばね力を受けないから、接続状態を良好に維持することが可能になる。尚、固定ボルトＢによる締め付けは、予めキャップ３０を機器側ハウジング１１から外しておき、固定ボルトＢを開口部１３からフード部１２内に進入させ、両端子２０，６０のボルト挿通孔２１，６３を通って固定ナットＮに螺合させる。固定ボルトＢによる締め付けが完了した後には、再びキャップ３０を装着して開口部１３を塞いでおく。
【００３４】
以上のように本実施形態では、機器側端子２０の位置に応じてハーネス側端子６０の位置を調整することができることに加えて、ハーネス側端子６０が機器側端子２０の端縁部や端子台１４等と干渉することを防ぐことができる。したがって、両コネクタ１０，５０の嵌合作業性を向上させることができる。
また、正規嵌合時に解除突部１５が解除凹部８７に嵌合することで第２のばね部材８６を圧縮させると共に第１のばね部材８５のハーネス側端子６０に対する付勢を解除することができる。よって、ハーネス側端子６０をフリー状態に保持することができるから、機器側端子２０にボルト止めされた状態で第１のばね部材８５からばね力を受けず、接続状態を良好に維持することができる。
【００３５】
＜実施形態２＞
次に、本発明の実施形態２を図面を参照しながら説明する。本実施形態のハーネス側コネクタ９０は、図８に示すように、実施形態１の保持部品８０とは異なる形態をなす保持部品９１を有し、この保持部品９１を収容する装着凹部９４の形態も異なっている。保持部品９１は、図９及び図１０に示すように、上側半割体８１が各端子挿通孔８４毎に個別に設けられ、合わせて３つの上側半割体９２とこれらの上側半割体９２に共通の下側半割体９３とから構成されている。また、下側半割体９３には、実施形態１の解除凹部８７に相当する部分が設けられていない。
【００３６】
より詳細に説明すると、ハーネス側端子６０がキャビティ５３内に挿入された状態では、図８の拡大図に示すように、上側半割体８１のうちハーネス側端子６０と対向する面がキャビティ５３の内壁上面とほぼ面一をなしている。これは、本実施形態では保持部品９１を装着凹部９４に対して相対的に上下に移動可能に支持する必要がなく、上側半割体８１とハーネス側端子６０との間にクリアランスを設定しなくてもよいためである。したがって、上側半割体８１とハーネス側端子６０との間のクリアランスをなくし、もって保持部品８０の低背化を図ることができる。
【００３７】
また、上側半割体９２が個別に設けられている点については、以下のような利点がある。例えば、１つのハーネス側コネクタ９０に複数種類のハーネス側端子６０を混在させて用いる場合には、個別の上側半割体９２をハーネス側端子６０の種類に応じて変更することができるから、保持部品９１全体を設計し直す必要がない。したがって、保持部品９１全体の設計変更を要することなく、ハーネス側端子６０の選択自由度を高めることができる。
【００３８】
＜他の実施形態＞
本発明は上記記述及び図面によって説明した実施形態に限定されるものではなく、例えば次のような実施形態も本発明の技術的範囲に含まれる。
（１）本実施形態では樹脂製の保持部品８０を例示しているものの、本発明によると、金属製の保持部品としてもよい。つまり、第１のばね部材８５及び第２のばね部材８６は共に樹脂ばねである必要はなく、金属ばねであってもよい。
（２）本実施形態では保持部品８０を上側半割体８１と下側半割体８２とから構成しているものの、本発明によると、保持部品８０を下側半割体８２のみで構成してもよい。
【００３９】
（３）本実施形態では第１のばね部材８５と第２のばね部材８６の双方でハーネス側端子６０を支持しているものの、本発明によると、第１のばね部材８５のみでハーネス側端子６０を支持してもよい。
（４）本実施形態では下側半割体８２に第１のばね部材８５及び第２のばね部材８６を設けているものの、本発明によると、上側半割体８１に第１のばね部材８５及び第２のばね部材８６を設けてもよい。
【００４０】
（５）本実施形態では解除突部１５が解除凹部８７に嵌合することで保持部品８０を押し下げているものの、本発明によると、解除突部１５が第１のばね部材８５を直接押し下げることでハーネス側端子６０に対する付勢を解除してもよい。
（６）本実施形態ではシールドコネクタに適用したものを例示しているものの、本発明によると、シールドコネクタ以外のコネクタに適用してもよい。
【図面の簡単な説明】
【００４１】
【図１】実施形態１における両コネクタの嵌合前における状態を示す断面図
【図２】その両コネクタが正規嵌合して両端子がボルト止めされた状態を示す断面図
【図３】図１において保持部品の周辺部を拡大した状態を示す断面図
【図４】図２において保持部品の周辺部を拡大した状態を示す断面図
【図５】実施形態１における機器側コネクタの正面図
【図６】そのハーネス側コネクタの正面図
【図７】その保持部品の正面図
【図８】実施形態２におけるハーネス側コネクタの断面図及び保持部品の拡大図
【図９】そのハーネス側コネクタの正面図
【図１０】その保持部品の正面図
【図１１】従来のハーネス側コネクタにおいて端子同士が干渉する様子を示した断面図
【符号の説明】
【００４２】
１０…機器側コネクタ（相手側コネクタ）
１４…端子台
１５…解除突部（解除部）
２０…機器側端子
５０…ハーネス側コネクタ（コネクタ）
５１…ハーネス側ハウジング（コネクタハウジング）
５３…キャビティ
６０…ハーネス側端子
７０…シールドシェル
８０…保持部品
８１…上側半割体
８２…下側半割体
８５…第１のばね部材
８６…第２のばね部材
８７…解除凹部（解除受け部）
【図１】
2008300330.tif 000003
【図２】
2008300330.tif 000004
【図３】
2008300330.tif 000005
【図４】
2008300330.tif 000006
【図５】
2008300330.tif 000007
【図６】
2008300330.tif 000008
【図７】
2008300330.tif 000009
【図８】
2008300330.tif 000010
【図９】
2008300330.tif 000011
【図１０】
2008300330.tif 000012
【図１１】
2008300330.tif 000013